(57)【要約】      （修正有）【課題】  光ビームを回転多面鏡によって偏向して記録体上を走査する装置が走査ピッチが異なる等の複数のモードで動作する場合、各モード毎に回転多面鏡の周期的むらを高精度に補正できるようにした周期的むら補正パターンの決定方法及び光ビーム走査装置を提供する。【解決手段】  第１モードで回転多面鏡の１回転を１周期とした周期的変調パターンの位相、振幅を変えた周期的変調パターンにより所定の画像信号を変調して出力しむらの小さい補正値を選択し、第２モードで同様にむらの小さい補正値を選択することにより各モードについて周期的むら補正パターンを決定する。【選択図】  図４
2006285004.tif 000002
【特許請求の範囲】
【請求項１】
回転多面鏡の１回転を１周期とした周期的むら補正パターンにより画像信号を変調し、前記変調された画像信号により強度変調された光ビームを回転多面鏡によって偏向して記録体上を主走査するとともに、前記記録体を前記光ビームに対して前記主走査方向と略垂直な方向に相対移動させることで副走査し、少なくとも第１モード及び第２モードの複数のモードで動作する装置の周期的むら補正パターンの決定方法において、
前記第１モードで前記回転多面鏡の１回転を１周期とした周期的変調パターンの少なくとも位相及び振幅の一方を変えた周期的変調パターンにより所定の画像信号を変調して出力しむらの小さい補正値を選択する第１選択工程と、
前記第２モードで前記周期的変調パターンの少なくとも位相及び振幅の一方を変えた周期的変調パターンにより所定の画像信号を変調して出力しむらの小さい補正値を選択する第２選択工程と、により前記各モードについて周期的むら補正パターンを決定することを特徴とする周期的むら補正パターンの決定方法。
【請求項２】
前記複数のモードは前記回転多面鏡の回転速度または副走査速度を変えて走査ピッチが異なる請求項１に記載の周期的むら補正パターンの決定方法。
【請求項３】
前記複数のモードは前記光ビームのビーム径が異なる請求項１または２に記載の周期的むら補正パターンの決定方法。
【請求項４】
前記装置は前記記録体に画像を形成し、前記モードは画像形成モードである請求項１，２または３に記載の周期的むら補正パターンの決定方法。
【請求項５】
前記複数のモードは前記記録体の画像形成における特性が異なる請求項４に記載の周期的むら補正パターンの決定方法。
【請求項６】
前記第１選択工程で選択した補正値を前記第２モードの補正値として適用し、その補正値でむらが許容範囲内となったとき、その補正値を前記第２モードの補正値と決定する請求項１乃至５のいずれか１項に記載の周期的むら補正パターンの決定方法。
【請求項７】
回転多面鏡の１回転を１周期とした周期的むら補正パターンにより画像信号を変調し、前記変調された画像信号により強度変調された光ビームを回転多面鏡によって偏向して記録体上を主走査するとともに、前記記録体を前記光ビームに対して前記主走査方向と略垂直な方向に相対移動させることで副走査し、少なくとも第１モード及び第２モードの複数のモードで動作する光ビーム走査装置において、
前記第１モードで前記回転多面鏡の１回転を１周期とした周期的変調パターンの少なくとも位相及び振幅の一方を変えた周期的変調パターンにより所定の画像信号を変調して出力しむらの小さい補正値を選択可能な第１選択手段と、
前記第２モードで前記回転多面鏡の１回転を１周期とした周期的変調パターンの少なくとも位相及び振幅の一方を変えた周期的変調パターンにより所定の画像信号を変調して出力しむらの小さい補正値を選択可能な第２選択手段と、を備えることを特徴とする光ビーム走査装置。
【請求項８】
前記複数のモードは前記回転多面鏡の回転速度または副走査速度を変えて走査ピッチが異なる請求項７に記載の光ビーム走査装置。
【請求項９】
前記複数のモードは前記光ビームのビーム径が異なる請求項７または８に記載の光ビーム走査装置。
【請求項１０】
前記光ビーム走査装置は前記記録体に画像を形成する画像形成装置であり、前記モードは画像形成モードである請求項７，８または９に記載の光ビーム走査装置。
【請求項１１】
前記複数のモードは前記記録体の画像形成における特性が異なる請求項１０に記載の光ビーム走査装置。
【請求項１２】
前記選択した補正値を記憶するメモリ手段を備える請求項７乃至１１のいずれか１項に記載の光ビーム走査装置。
【発明の詳細な説明】
【技術分野】
【０００１】
本発明は、光ビームを回転多面鏡によって偏向して記録体上を走査する装置の周期的むら補正パターンの決定方法及び光ビームを回転多面鏡で偏向して記録体上を走査する光ビーム走査装置に関する。
【背景技術】
【０００２】
下記特許文献１は、回転多面鏡の１回転を１周期とした周期的むら補正パターンにより画像信号を変調し、変調された画像信号により強度変調された光ビームを回転多面鏡によって偏向して記録体上を主走査するとともに、その記録体を光ビームに対して主走査方向と略垂直な方向に相対移動させることにより副走査する装置の周期的むら補正パターンの決定方法において、正弦波の位相を変えた周期的変調パターンにより入力信号を変調して出力し、むらの小さい位相を選択し、次に、選択された位相の周期的変調パターンの振幅を変えた周期的変調パターンにより入力信号を変調して出力し、むらの小さい振幅を選択し、周期的むら補正パターンを決定することを開示する（要約参照）。このようにして、回転多面鏡の１回転を１周期とした複数の周期的変調パターンで画像信号を変調し、その中でむらが低減したパターンを選択し、その選択したパターンを周期的むら補正パターンとして画像信号を変調する。
【０００３】
ところが、上記装置が、例えば、走査ピッチが可変な装置である場合、第１の走査ピッチで補正値を選択し周期的むらを低減できたとしても、第２の走査ピッチでは、同じ補正値の場合、十分にむらが低減しないという不具合が発生することがある。特に、もともとの周期的むらが強い場合に不具合が発生し易い。
【０００４】
また、ビーム径が可変な装置やフィルム種類（多重露光特性が異なる）が可変な装置においても同様であり、一方のモードで補正値を選択し周期的むらを低減できたとしても、他のモードにおいては、同じ補正値の場合、十分にむらが低減しないという不具合が発生する。
【特許文献１】特開平０９−４９９７３号公報
【発明の開示】
【発明が解決しようとする課題】
【０００５】
本発明は、上述のような従来技術の問題に鑑み、光ビームを回転多面鏡によって偏向して記録体上を走査する装置が走査ピッチが異なる等の複数のモードで動作する場合、各モード毎に回転多面鏡の周期的むらを高精度に補正できるようにした周期的むら補正パターンの決定方法及び光ビームを回転多面鏡で偏向して記録体上を走査する光ビーム走査装置を提供することを目的とする。
【課題を解決するための手段】
【０００６】
上記目的を達成するために、本発明による周期的むら補正パターンの決定方法は、回転多面鏡の１回転を１周期とした周期的むら補正パターンにより画像信号を変調し、前記変調された画像信号により強度変調された光ビームを回転多面鏡によって偏向して記録体上を主走査するとともに、前記記録体を前記光ビームに対して前記主走査方向と略垂直な方向に相対移動させることで副走査し、少なくとも第１モード及び第２モードの複数のモードで動作する装置の周期的むら補正パターンの決定方法において、前記第１モードで前記回転多面鏡の１回転を１周期とした周期的変調パターンの少なくとも位相及び振幅の一方を変えた周期的変調パターンにより所定の画像信号を変調して出力しむらの小さい補正値を選択する第１選択工程と、前記第２モードで前記周期的変調パターンの少なくとも位相及び振幅の一方を変えた周期的変調パターンにより所定の画像信号を変調して出力しむらの小さい補正値を選択する第２選択工程と、により前記各モードについて周期的むら補正パターンを決定することを特徴とする。
【０００７】
この周期的むら補正パターンの決定方法によれば、各モード毎に周期的変調パターンの少なくとも位相及び振幅の一方の最適な補正値を決定でき、装置をモードを変えて動作させても、各モード毎に回転多面鏡の周期的むらを高精度に補正できる。
【０００８】
上記周期的むら補正パターンの決定方法において、前記複数のモードは、前記回転多面鏡の回転速度または副走査速度を変えて走査ピッチが異なる場合や前記光ビームのビーム径が異なる場合がある。
【０００９】
また、前記装置が前記記録体に画像を形成する画像形成装置である場合、前記モードは画像形成モードである。この場合、前記複数のモードは前記記録体の画像形成における特性（例えば、感光性フィルムの多重露光特性）が異なるものとすることができる。
【００１０】
また、前記第１選択工程で選択した補正値を前記第２モードの補正値として適用し、その補正値でむらが許容範囲内となったとき、その補正値を前記第２モードの補正値と決定することで、例えば、もともとのむらが弱い場合等に、余分な選択工程を省略でき、短時間で周期的むら補正パターンを決定することができる。
【００１１】
本発明による光ビーム走査装置は、回転多面鏡の１回転を１周期とした周期的むら補正パターンにより画像信号を変調し、前記変調された画像信号により強度変調された光ビームを回転多面鏡によって偏向して記録体上を主走査するとともに、前記記録体を前記光ビームに対して前記主走査方向と略垂直な方向に相対移動させることで副走査し、少なくとも第１モード及び第２モードの複数のモードで動作する光ビーム走査装置において、前記第１モードで前記回転多面鏡の１回転を１周期とした周期的変調パターンの少なくとも位相及び振幅の一方を変えた周期的変調パターンにより所定の画像信号を変調して出力しむらの小さい補正値を選択可能な第１選択手段と、前記第２モードで前記回転多面鏡の１回転を１周期とした周期的変調パターンの少なくとも位相及び振幅の一方を変えた周期的変調パターンにより所定の画像信号を変調して出力しむらの小さい補正値を選択可能な第２選択手段と、を備えることを特徴とする。
【００１２】
この光ビーム走査装置によれば、各モード毎に周期的変調パターンの少なくとも位相及び振幅の一方の最適な補正値を決定でき、装置をモードを変えて動作させても、各モード毎に回転多面鏡の周期的むらを高精度に補正できる。
【００１３】
上記光ビーム走査装置において、前記複数のモードは、前記回転多面鏡の回転速度または副走査速度を変えて走査ピッチが異なる場合や前記光ビームのビーム径が異なる場合がある。
【００１４】
また、前記光ビーム走査装置が前記記録体に画像を形成する画像形成装置である場合、前記モードは画像形成モードであるようにできる。この場合、前記複数のモードは前記記録体の画像形成における特性（例えば、感光性フィルムの多重露光特性）が異なるように構成できる。
【００１５】
また、前記選択した補正値を記憶するメモリ手段を備えることで、最適な補正値を保存しておき、動作の度に読み出して周期的むら補正パターンでむらを高精度に補正できる。また、第１選択手段で選択した補正値を第２モードの補正値として適用する場合、その補正値をメモリ手段にコピーし、その補正値でむらが許容範囲内となったとき、その補正値を第２モードの補正値と決定してメモリ手段に記憶させることができる。
【発明の効果】
【００１６】
本発明の補正パターンの決定方法によれば、光ビームを回転多面鏡によって偏向して記録体上を走査する装置が走査ピッチや光ビーム径等が異なる等の複数のモードで動作する場合、各モード毎に回転多面鏡の周期的むらを高精度に補正できる。
【００１７】
また、本発明の光ビーム走査装置によれば、光ビームを回転多面鏡によって偏向して記録体上を走査するときに、走査ピッチや光ビーム径等が異なる等の複数のモードで動作する場合、各モード毎に回転多面鏡の周期的むらを高精度に補正できる。
【発明を実施するための最良の形態】
【００１８】
以下、本発明を実施するための最良の形態について図面を用いて説明する。図１は本実施の形態における光ビームを回転多面鏡によって偏向して記録体上を走査する装置の回転多面鏡（ミラー面を０面〜５面の合計６面とした）の面倒れによる副走査方向の走査線位置のずれの例を各面毎に示すグラフである。図２は図１の回転多面鏡の面倒れによる走査線位置のずれのデータを用いて得た副走査方向位置と各面毎の相対光量との関係を示すグラフ（ａ）及び各面の相対光量を合計したグラフ（ｂ）である。
【００１９】
回転多面鏡がミラー面を合計６面（０面〜５面）有し、回転多面鏡の各面毎の相対光量は副走査方向位置に関して図２（ａ）のように変化し、回転多面鏡の面倒れに起因する走査線位置（副走査方向）のずれが図１のようであったと仮定すると、図１の回転多面鏡の面倒れによる走査線位置のずれのデータを用いてガウス分布の光量を重ねた相対光量は、図２（ｂ）のように変化する。図２（ｂ）から走査線位置のずれによって光量むら（濃度むら）が生じていることが分かる。
【００２０】
図２（ｂ）では、走査ピッチとビーム径を変えた３条件について計算しているが、走査ピッチやビーム径の違いによってむらの大きさが異なることが分かる。横方向のむらの周期の違いは走査ピッチ差の影響によるものである。従って、走査ピッチやビーム径が変わると、最適な補正値も異なってくる。
【００２１】
図３は、本実施の形態による光ビーム走査装置の要部を概略的に示す図である。図３の光ビーム走査装置１０は、入力した画像信号Ｇに基づき強度変調されたレーザ光Ｌを、回転多面鏡１３によって偏向して、ハロゲン化銀感光材料からなるシート状のフィルムＦ上を主走査するとともに、フィルムＦをレーザ光Ｌに対して主走査の方向Ｘと略直角な方向Ｙに相対移動させることにより副走査し、レーザ光Ｌにより画像信号Ｇに基づいてフィルムＦに潜像を形成する。なお、フィルムＦに形成された潜像は所定の現像プロセス（湿式や熱現像等）を経ることで可視像化される。
【００２２】
図３において、外部から入力したデジタル信号である画像信号Ｇは、Ｄ／Ａ変換器２４でアナログ信号に変換され、乗算回路２２に入力し、かかるアナログ信号に基づいて駆動回路２１により光源である半導体レーザ１１を駆動することで、半導体レーザ１１から変調されたレーザ光Ｌが出射する。
【００２３】
半導体レーザ１１から出射したレーザ光Ｌは、レンズ１２を通過し、シリンドリカルレンズ１５により上下方向にのみ収束されて、モータ１３ａにより矢印Ａ方向に回転する回転多面鏡１３に対し、その駆動軸に垂直な線像として入射する。回転多面鏡１３はレーザ光Ｌを主走査方向に反射し偏向し、偏向されたレーザ光Ｌは、２枚のレンズを組み合わせてなるシリンドリカルレンズを含むｆθレンズ１４を通過した後、光路上に主走査方向Ｘに延在して設けられたミラー１６で反射されて、搬送ローラ対１７，１８（フィルムＦの被走査面１９上のローラの図示を省略）により副走査方向Ｙに副走査されるフィルムＦの被走査面１９上を、主走査方向Ｘに繰り返し主走査することでレーザ光ＬをフィルムＦ上の被走査面１９の全面にわたって走査する。
【００２４】
図３において、周期的むらを補正するために、光ビーム走査装置１０に入力した画像信号Ｇによるアナログ信号Ｇ１は、乗算回路２２でパターン発生器２３からの周期的むら補正パターン（回転多面鏡一回転周期のむらを補正する）と濃度変調パターン（フィルム主走査方向の濃度差を補正する）を乗算した信号Ｇ２と乗算され、変調されて補正画像信号Ｇ３となる。
【００２５】
また、主走査方向Ｘの一端側に配置された同期センサ２７ａのレーザ光検知に基づいて主走査同期回路２７から主走査同期信号Ｇ４が制御部２０に入力する。また、回転多面鏡１３の面検知回路２８から回転多面鏡１３の各面を特定するための面検知信号Ｇ５が制御部２０に入力する。
【００２６】
駆動回路２１は、制御部２０から出力した主走査同期信号Ｇ４と補正画像信号Ｇ３に基づいて、主走査と同期して光ビームの強度を変調するように、半導体レーザ１１を制御する。
【００２７】
制御部２０は、各回路２１，２２，２４，パターン発生器２３及びモータ１３ａを制御する。パターン発生器２３は、制御部２０から出力した回転多面鏡１３の各面を特定するための面検知信号Ｇ５及び主走査同期信号Ｇ４に基づいて、主走査と同期して、また、回転多面鏡１３の各面毎に、メモリ２６に記憶されている周期的むら補正パターンと濃度変調パターンを読み出し乗算し、乗算回路２２に信号Ｇ２を送る。
【００２８】
キーボードやマウス等のポインティングデバイスから構成される入力部２５からパターン発生器２３における周期的むら補正パターンや濃度変調パターンを決定するための情報を制御部２０に入力する。
【００２９】
図３の光ビーム走査装置１０は、複数の画像形成モードで動作するようになっており、例えば、走査ピッチを２段化に変えた第１の画像形成モード及び第２の画像形成モードで動作する。かかる走査ピッチの異なる画像形成モードの切り換えは、入力部２５からの入力情報に基づいて制御部２０がモータ１３ａまたは搬送ローラ対１７，１８の回転速度を変えて走査ピッチを変えることで行うことができる。
【００３０】
図３の回転多面鏡１３の１回転を１周期とした下記式（１）で示す正弦波を基本的周期的変調パターンｇ（ｘ）とする。
ｇ（ｘ）＝１＋ｂ・ｓｉｎｘ            （１）
ｈ（ｘ）＝１＋ｂ・ｓｉｎ（ｘ＋δ）    （２）
【００３１】
上記式（１）の基本的周期的変調パターンの位相δを変化させた上記式（２）で示す周期的変調パターンｈ（ｘ）をパターン発生器２３から発生させ、この周期的変調パターン信号Ｇ２を一定値の画像信号Ｇ１に乗算させて画像信号Ｇ１を変調させた信号Ｇ３で半導体レーザ１１を駆動し、レーザ光Ｌにより回転多面鏡１３の回転と同期して主走査を行いフィルムＦを露光し、所定の副走査長さ（濃度むらをチェックできる程度の幅）で画像を形成する。
【００３２】
このとき、周期的変調パターンの所定の振幅ｂの正弦波の位相δを、所定の副走査長さ毎に、所定の角度例えば４５°毎に８段階変化させたパターンをテストフィルム１枚に出力する。位相の４５°等の変化幅は入力部２５からオペレータが入力できる。テストフィルムを現像し、現像むらをチェックし、４５°ずつ変化させた８段階の中から最適な位相δ１を選択する。次に、同様の方法で、上述の最適な位相を用いて振幅ｂを変化させて最適な振幅ｂ１を選択する。
【００３３】
上述のようにして決定した位相δ１及び振幅ｂ１をメモリ２６に記憶させ、画像記録のときに読み出し、下記式（３）で示す周期的むら補正パターンを画像信号と乗算させて半導体レーザ１１を駆動しレーザ光Ｌを射出させることで、回転多面鏡１３の周期的むらを高精度に補正することができる。
ｈ（ｘ）＝１＋ｂ１・ｓｉｎ（ｘ＋δ１）      （３）
【００３４】
上述のようにして周期的むら補正パターンをまず第１のモードで求め、その位相及び振幅をメモリ２６に記憶させてから、第２のモードに切り換え、同様にして、周期的むら補正パターンを求め、その位相及び振幅をメモリ２６に記憶させる。このとき、第１の画像形成モードで求めた位相及び振幅を第２の画像形成モードの位相及び振幅にコピーし、第２の画像形成モードにおいて第１の画像形成モードの位相及び振幅でむらのレベルが規定値を満たす場合には、第１の画像形成モードの位相及び振幅を第２の画像形成モードの位相及び振幅とする。
【００３５】
次に、図４を参照して図３の光ビーム走査装置の周期的むら補正パターンを決定する工程について更に説明する。図４は図３の光ビーム走査装置の周期的むら補正パターンを決定する工程を説明するための図である。
【００３６】
図４では、周期的むら補正パターンを位相を４５°ずつ、振幅を０．４％ずつ変化させることで、最適な位相及び振幅を選択する。
【００３７】
まず、第１の画像形成モードに切り換え、仮の振幅を入力した後、所定の副走査長さで位相を４５°づつ８段階変化させたパターンをテストフィルムＦ１に出力し現像する（Ｓ０１）。オペレータは、テストフィルムＦ１の各パターンから最もむらの消えているものを選択する（Ｓ０２）。例えば、位相９０°を選択したとする。
【００３８】
次に、上述のステップＳ０２で選択した位相９０°で、所定の副走査長さで振幅を０．４％づつ８段階変化させたパターンをテストフィルムＦ２に出力し現像する（Ｓ０３）。オペレータは、テストフィルムＦ２の各パターンから最もむらの消えているものを選択する（Ｓ０４）。例えば、振幅０．８％を選択したとする。この場合、テストフィルムＦ２を主走査方向（図の横方向）で前、中、後で３等分して、前、中、後の各部で最もむらの消えているものを選択する。以上の最適な位相と振幅（前、中、後の各部）の補正値を図３のメモリ２６に記憶させる。
【００３９】
次に、バイアス調整で濃度変調パターンを決める。濃度変調パターンを決めるためのテストフィルムの作成では、図３のメモリ２６から読み出した最適な位相と振幅による上記式（５）で示す周期的むら補正パターンに基づいて、所定の副走査長さ毎に所定の割合（例えば１％）ずつバイアスレベルを低くした周期的むら補正パターン信号Ｇ２を乗算回路２２に送り、画像信号として一定値の画像信号Ｇ１と乗算させ画像信号Ｇ１を変調させた信号Ｇ３でフィルムを露光し現像してテストフィルムＦ３を得る（Ｓ０５）。次に、テストフィルムＦ３を主走査方向で前、中、後で３等分して、前、中、後の各部の間で最も濃度が等しい組み合わせを選択する（Ｓ０６）。そして、その組み合わせの前、中、後の各部のバイアスをメモリ２６に記憶させる。このようにして、第１の画像形成モードの周期的むら補正パターン・濃度変調パターンを決定し、補正が完了する（Ｓ０７）。
【００４０】
次に、上記第１の画像形成モードで得た位相と振幅の補正値を第２の画像形成モードに自動コピーし、第２の画像形成モードで画像を確認し、むらのレベルが規格内であれば、第１の画像形成モードの補正値をそのまま第２の画像形成モードの補正値とする。また、規格外であれば、第２の画像形成モードでも上記ステップＳ０１〜Ｓ０７と同様にして補正を行う。
【００４１】
なお、もともとの周期的むらが弱い場合等は、画像形成モードの違いによる最適な補正値の差が少ないので、上述のように第１の画像形成モードの補正値を第２の画像形成モードのために自動コピーすることで、そのまま適用できる場合がある。これにより、余分な選択工程を省略でき、短時間で周期的むら補正パターンを決定することができる。
【００４２】
以上のように、光ビーム走査装置１０の周期的むら補正パターンを決定する際に、各画像形成モード毎に周期的変調パターンの位相及び振幅の最適な補正値を決定でき、光ビーム走査装置１０を走査ピッチの異なる画像形成モードを変えて動作させても、各画像形成モード毎に回転多面鏡１３の周期的むらを高精度に補正できる。このため、特に、もともとの周期的むらが強い場合であっても、第１及び第２の画像形成モードの両モードで光ビーム走査装置１０により高画質の画像を形成できる。
【００４３】
以上のように本発明を実施するための最良の形態について説明したが、本発明はこれらに限定されるものではなく、本発明の技術的思想の範囲内で各種の変形が可能である。例えば、図３で位相と振幅の最適な補正値を決定するとき、位相と振幅の分解能は、更に粗くしたり、更に細かくしてもよい。
【００４４】
また、図４の説明では、モードの数は２つであったが、３つ、または、３つ以上であってもよく、同様にして各モードで最適な補正値を決定する。また、図３では、アナログ信号で演算しているが、デジタル信号で演算してもよい。
【００４５】
また、図３の光ビーム走査装置は、記録体をハロゲン化銀感光材料からなるフィルム等の記録媒体とした画像形成装置として構成可能であるが、本発明はこれに限定されず、例えば、記録体を放射線画像情報が記録された輝尽性蛍光体を含有する放射線画像変換プレートとし、例えば走査ピッチの異なる複数モードで動作し放射線画像変換プレートをレーザ光で走査することで放射線画像情報を読み取る画像読取装置として構成してもよい。
【００４６】
また、装置のモードは、走査ピッチが異なる場合や光ビームのビーム径が異なる場合があり、各装置において必要に応じて走査ピッチと光ビーム径等が組み合わされて各モードが設定される。また、図３のような画像形成装置の場合、複数の画像形成モードは、例えば、異なる感光性フィルムの多重露光特性に応じて設定することができる。
【図面の簡単な説明】
【００４７】
【図１】本実施の形態における光ビームを回転多面鏡によって偏向して記録体上を走査する装置の回転多面鏡（ミラー面を０面〜５面の合計６面とした）の面倒れによる副走査方向の走査線位置のずれの例を各面毎に示すグラフである。
【図２】図１の回転多面鏡の面倒れによる走査線位置のずれのデータを用いて得た副走査方向位置と各面毎の相対光量との関係を示すグラフ（ａ）及び各面の相対光量を合計したグラフ（ｂ）である。
【図３】本実施の形態による光ビーム走査装置の要部を概略的に示す図である。
【図４】図３の光ビーム走査装置の周期的むら補正パターンを決定する工程を説明するための図である。
【符号の説明】
【００４８】
１０ 光ビーム走査装置
１１ 半導体レーザ
１３ 回転多面鏡
１３ａ モータ
１９ 被走査面
２０ 制御部
２１ 駆動回路
２２ 乗算回路
２３ パターン発生器
２５ 入力部
２６ メモリ
Ｆ フィルム（記録体）
Ｆ１〜Ｆ３ テストフィルム
Ｇ 画像信号
Ｇ１ アナログ信号、画像信号
Ｇ２ 周期的変調パターン信号、補正パターン信号
Ｇ３ 補正画像信号
Ｌ レーザ光
Ｘ 主走査方向
Ｙ 副走査方向
【図１】
2006285004.tif 000003
【図２】
2006285004.tif 000004
【図３】
2006285004.tif 000005
【図４】
2006285004.tif 000006